(57)【要約】【課題】汚物が付着し易いボウル部の後方領域に対して高速で大流量の洗浄水を効率良く供給することができ、ボウル部の後方領域の洗浄力を向上させることができる水洗大便器を提供する。【解決手段】本発明の水洗大便器１は、ボウル部６の左右方向の一方側のリム部８に設けられ、洗浄水を前方に向かって吐水する第１リム吐水Ｗ１を行い、リム部に沿って旋回流ｆ１を形成する第１リム吐水口２０と、ボウル部の左右方向の他方側のリム部に設けられ、第１リム吐水部よりも小さい流量の洗浄水を吐水する第２リム吐水Ｗ２を行う第２リム吐水口２２と、を備え、第１リム吐水口は、壺部１２の前端Ｔよりも前方に配置され、第２リム吐水口は、第２リム吐水を第１リム吐水の旋回流の旋回方向に対して横断させて、第１リム吐水の旋回流と干渉させた洗浄水を壺部よりも後方側のボウル部の後方領域Ｂに導くように構成されている。【選択図】図５
2020051048.tif 000002
【特許請求の範囲】
【請求項１】
洗浄水源から供給される洗浄水によって洗浄されて汚物を排出する水洗大便器であって、
ボウル形状の汚物受け面と、この汚物受け面の上方に形成されるリム部と、上記汚物受け面の下方に設けられて溜水を貯留して封水を形成する壺部と、を備えたボウル部と、
上記壺部に入口が接続されて汚物を排出する排水トラップ部と、
上記ボウル部の左右方向の一方側の上記リム部に設けられ、洗浄水を前方に向かって吐水する第１リム吐水を行い、上記リム部に沿って旋回する旋回流を形成する第１リム吐水部と、
上記ボウル部の左右方向の他方側の上記リム部に設けられ、上記第１リム吐水部よりも小さい流量の洗浄水を吐水する第２リム吐水を行う第２リム吐水部と、を有し、
上記第１リム吐水部は、上記壺部の前端よりも前方に配置された第１リム吐水口を備えており、
上記第２リム吐水部は、上記第２リム吐水を上記第１リム吐水の旋回流の旋回方向に対して横断させて、上記第１リム吐水の旋回流と干渉させた洗浄水を上記壺部よりも後方側の上記ボウル部の後方領域に導くように構成された第２リム吐水口を備えていることを特徴とする水洗大便器。
【請求項２】
上記第２リム吐水口は、上記壺部の後端よりも前方に配置されている請求項１記載の水洗大便器。
【請求項３】
上記第２リム吐水口は、上記壺部の前端よりも後方に配置されている請求項２記載の水洗大便器。
【請求項４】
上記第２リム吐水口は、上記壺部の前後方向の中央よりも後方に配置されている請求項２又は３に記載の水洗大便器。
【請求項５】
上記第２リム吐水口の開口端面は、上記第２リム吐水の水流が上記ボウル部の後方領域の左右方向を横断するように斜め後方に差し向けられている請求項２乃至４の何れか１項に記載の水洗大便器。
【請求項６】
上記第２リム吐水口は、上記第２リム吐水を上記第１リム吐水の旋回流よりも幅広で膜状に拡散させる拡散部を備えている請求項５記載の水洗大便器。
【請求項７】
上記拡散部は、その流路中心軸線の方向が上記リム部における上記第２リム吐水口の後端近傍のリム壁面の接平面に対して角度を成すように設けられている請求項６記載の水洗大便器。
【請求項８】
さらに、上記洗浄水源から供給された洗浄水を上記第２リム吐水部に導く第２リム導水路を有し、
この第２リム導水路は、その上流側から前方に向かって流れる洗浄水を後方に方向転換させる第１屈曲導水路と、この第１屈曲導水路の下流側後方に設けられた第２屈曲導水路と、を備えており、この第２屈曲導水路は、上記第１屈曲導水路によって後方に向かって流れる洗浄水を斜め後方に方向転換させる屈曲部を備え、この屈曲部よりも下流側に上記拡散部が設けられている請求項６又は７に記載の水洗大便器。
【請求項９】
上記拡散部は、上記第２屈曲導水路の屈曲部よりも下流側に形成される下流側導水路であり、この下流側導水路の幅は、上記第２屈曲導水路における上記屈曲部よりも上流側の導水路の幅よりも大きく設定されている請求項８記載の水洗大便器。
【請求項１０】
上記ボウル部の後方領域は、その汚物受け面における上記第２リム吐水口から斜め後方に向って形成される面が後方側程上昇傾斜している請求項２乃至９の何れか１項に記載の水洗大便器。
【請求項１１】
上記ボウル部の後方領域は、上記第２リム吐水口の底面から上記ボウル部の周方向後方側に形成されている上記汚物受け面の上縁が前方側から上記リム部の後端に向かって上昇傾斜している請求項１０記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１に記載されているように、第１リム吐水口及び第２リム吐水口の２つのリム吐水口を備えた水洗大便器が知られている。
このような従来の水洗大便器においては、第１リム吐水口が、便器本体を前方から見てボウル部の左側方のリム壁面で且つ溜水を貯留する壺部の前端よりも後方に配置されている。これにより、第１リム吐水口から大流量の洗浄水が前方に向けて第１リム吐水として吐水されて、ボウル部内で旋回流が形成されるようになっている。
一方、上述した従来の水洗大便器の第２リム吐水口は、便器本体のボウル部の右後方のリム壁面で且つ壺部の後端よりも後方に配置されている。これにより、第２リム吐水口から小流量の洗浄水が第１リム吐水口からの第１リム吐水の旋回流と同一方向に第２リム吐水として吐水されるようになっている。
これらの２つのリム吐水口によって、ボウル部内の全周に亘って洗浄水を供給し、ボウル部の全体を洗浄することができるようになっている。
【先行技術文献】
【特許文献】
【０００３】
【特許文献１】特開２０１７−１６６３１５号公報
【発明の概要】
【発明が解決しようとする課題】
【０００４】
しかしながら、上述した特許文献１に記載されている従来の水洗大便器のボウル部内には、汚物が付着し易い領域と付着し難い領域がある。
汚物が付着し易い領域としては、具体的には、溜水を貯留する壺部の後方側のボウル部の後方領域等があるため、このようなボウル部の後方領域の広範囲に対して、高速で大流量の洗浄水を供給することが好ましい。
しかしながら、上述した特許文献１の水洗大便器においては、第１リム吐水口がボウル部の左側方のリム壁面で且つ壺部の前端よりも後方に配置されているため、第１リム吐水口から吐水された第１リム吐水の旋回流がボウル部内の前方側を経由して後方側に旋回し、ボウル部の後方領域に到達するまでに、第１リム吐水の大半が壺部に落下してしまう。
したがって、ボウル部の後方領域に到達した第１リム吐水は、小流量で流速が減速した状態でボウル部の後方領域に供給されることになる。
さらに、上述した特許文献１の水洗大便器においては、第２リム吐水口から吐水される第２リム吐水が第１リム吐水の旋回流と同一方向に旋回状に吐水されるため、ボウル部の後方領域に到達した第１リム吐水がボウル部の後方領域において第２リム吐水と合流しても、壺部に落下し難く、汚物が付着し易いボウル部の後方領域の洗浄性が不十分となるという問題がある。
よって、汚物が付着し易いボウル部の後方領域に対して十分な洗浄水を供給して、いかに洗浄力を向上させるかが重要な課題となっている。
【０００５】
そこで、本発明は、上述した従来技術の課題を解決するためになされたものであり、汚物が付着し易いボウル部の後方領域に対して高速で大流量の洗浄水を効率良く供給することができ、ボウル部の後方領域の洗浄力を向上させることができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、ボウル形状の汚物受け面と、この汚物受け面の上方に形成されるリム部と、上記汚物受け面の下方に設けられて溜水を貯留して封水を形成する壺部と、を備えたボウル部と、上記壺部に入口が接続されて汚物を排出する排水トラップ部と、上記ボウル部の左右方向の一方側の上記リム部に設けられ、洗浄水を前方に向かって吐水する第１リム吐水を行い、上記リム部に沿って旋回する旋回流を形成する第１リム吐水部と、上記ボウル部の左右方向の他方側の上記リム部に設けられ、上記第１リム吐水部よりも小さい流量の洗浄水を吐水する第２リム吐水を行う第２リム吐水部と、を有し、上記第１リム吐水部は、上記壺部の前端よりも前方に配置された第１リム吐水口を備えており、上記第２リム吐水部は、上記第２リム吐水を上記第１リム吐水の旋回流の旋回方向に対して横断させて、上記第１リム吐水の旋回流と干渉させた洗浄水を上記壺部よりも後方側の上記ボウル部の後方領域に導くように構成された第２リム吐水口を備えていることを特徴としている。
このように構成された本発明においては、第１リム吐水部の第１リム吐水口がボウル部の壺部の前端よりも前方に配置されているため、高速で大流量の第１リム吐水の旋回流をボウル部の後方領域（壺部よりも後方側の汚物受け面やリム部）に効率良く導くことができる。
また、第２リム吐水部の第２リム吐水口により、第１リム吐水部の第１リム吐水口から吐水された第１リム吐水の旋回流の旋回方向に対して横断させるように第２リム吐水を行うことができるため、高速で大流量の第１リム吐水の旋回流を第２リム吐水の水流に合流させて効率良く干渉させることができる。
これにより、第１リム吐水部の第１リム吐水口がボウル部の壺部の前端よりも前方に配置される程、第１リム吐水の旋回流がボウル部の後方領域により高速で大流量の状態で導かれたとしても、第２リム吐水と干渉した後の第１リム吐水の旋回流がボウル部の後方領域で落下し難くなることを抑制することができる。
したがって、汚物が付着し易いボウル部の後方領域に対して、高速で大流量の第１リム吐水を第２リム吐水に干渉させた状態で効率良く供給することができるため、ボウル部の壺部よりも後方領域の汚物受け面やリム部を洗浄する第１リム吐水や第２リム吐水の洗浄力を向上させることができる。
【０００７】
本発明において、好ましくは、上記第２リム吐水口は、上記壺部の後端よりも前方に配置されている。
このように構成された本発明においては、第２リム吐水部の第２リム吐水口が壺部の後端よりも前方に配置されているため、第１リム吐水口から吐水された第１リム吐水の旋回流が、第２リム吐水口により吐水された第２リム吐水の水流に合流して干渉するタイミングを適度に早めることができる。
したがって、高速で大流量の第１リム吐水の旋回流の一部について、ボウル部の後方領域の上流側にも落下させることができる。これにより、汚物が付着し易いボウル部の後方領域とその上流側領域の広範囲に亘って洗浄可能となるため、洗浄力を向上させることができる。
【０００８】
本発明において、好ましくは、上記第２リム吐水口は、上記壺部の前端よりも後方に配置されている。
このように構成された本発明においては、第２リム吐水口が壺部の前端よりも後方に配置されているため、第１リム吐水口から吐水された第１リム吐水の旋回流が第２リム吐水口により吐水された第２リム吐水の水流に合流して干渉するタイミングについて、過度に早まることを抑制することができる。
したがって、高速で大流量の第１リム吐水の旋回流の大半がボウル部の後方領域よりも上流側で早々と落下してしまうことを抑制することができる。
【０００９】
本発明において、好ましくは、上記第２リム吐水口は、上記壺部の前後方向の中央よりも後方に配置されている。
このように構成された本発明においては、第２リム吐水口が壺部の前後方向の中央よりも後方に配置されているため、ボウル部の後方領域の直前において、高速で大流量の第１リム吐水の旋回流について、第２リム吐水口から横断させるように吐水された第２リム吐水の水流に合流させて干渉させることができ、この合流後の洗浄水の一部を適度に落下させることができる。これにより、汚物が付着し易いボウル部の後方領域における汚物受け面やリム部を広範囲に効率的に洗浄することができる。
【００１０】
本発明において、好ましくは、上記第２リム吐水口の開口端面は、上記第２リム吐水の水流が上記ボウル部の後方領域の左右方向を横断するように斜め後方に差し向けられている。
このように構成された本発明においては、第２リム吐水口の開口端面が斜め後方に差し向けられているため、第２リム吐水口から吐水される第２リム吐水の水流について、ボウル部の後方領域の左右方向を横断するように斜め後方に差し向けることができる。これにより、高速で大流量の第１リム吐水の旋回流と斜め後方に吐水された第２リム吐水の水流とを干渉させつつ、ボウル部の後方領域の左右方向の全体に亘って導くことができる。
【００１１】
本発明において、好ましくは、上記第２リム吐水口は、上記第２リム吐水を上記第１リム吐水の旋回流よりも幅広で膜状に拡散させる拡散部を備えている。
このように構成された本発明においては、第２リム吐水口の拡散部により、第２リム吐水口から斜め後方のボウル部の後方領域に向けて第２リム吐水を放射状に拡散させることができる。これにより、第２リム吐水を第１リム吐水の旋回流よりも幅広で膜状にすることができるため、高速で大流量の第１リム吐水の旋回流と斜め後方に吐水された第２リム吐水の幅広で膜状の水流とを干渉させつつ、ボウル部の後方領域の左右方向及び前後方向の全体に亘って広範囲に導くことができる。
【００１２】
本発明において、好ましくは、上記拡散部は、その流路中心軸線の方向が上記リム部における上記第２リム吐水口の後端近傍のリム壁面の接平面に対して角度を成すように設けられている。
このように構成された本発明においては、第２リム吐水口の拡散部の流路中心軸線の方向がリム部における第２リム吐水口の下流側近傍のリム壁面の接平面に対して角度を成しているため、第２リム吐水口から斜め後方のボウル部の後方領域に向けて第２リム吐水を吐水することができる。また、この吐水された第２リム吐水について、第１リム吐水の旋回流の旋回方向に対して効果的に横断させるように放射状に拡散させて、幅広で膜状の水流を形成することができる。
さらに、第２リム吐水がリム部における第２リム吐水口の前後近傍のリム壁面に引き寄せられる現象（いわゆる、コアンダ現象）を抑制することができる。
よって、第２リム吐水が、第１リム吐水の旋回流と共に同一の旋回方向に流れることを抑制し、ボウル部の後方領域において、合流後の洗浄水のすべてが一切落下することなく、単純に旋回してしまうことを抑制することができる。
これらにより、高速で大流量の第１リム吐水の旋回流と斜め後方に吐水された第２リム吐水の幅広で膜状の水流とを合流させて適度に干渉させつつ、ボウル部の後方領域の左右方向及び前後方向の全体に亘って効果的に導くことができる。
【００１３】
本発明において、好ましくは、さらに、上記洗浄水源から供給された洗浄水を上記第２リム吐水部に導く第２リム導水路を有し、この第２リム導水路は、その上流側から前方に向かって流れる洗浄水を後方に方向転換させる第１屈曲導水路と、この第１屈曲導水路の下流側後方に設けられた第２屈曲導水路と、を備えており、この第２屈曲導水路は、上記第１屈曲導水路によって後方に向かって流れる洗浄水を斜め後方に方向転換させる屈曲部を備え、この屈曲部よりも下流側に上記拡散部が設けられている。
このように構成された本発明においては、洗浄水源から第２リム導水路に供給された洗浄水は、その上流側から前方に向かって流れ、第１屈曲導水路によって後方に向かって流れる。
その後、第１屈曲導水路を通過した洗浄水は、第２屈曲導水路の屈曲部において斜め後方に方向転換された後、第２リム吐水口の拡散部を通過する。
このとき、第１屈曲導水路から第２屈曲導水路へ後方に流れた洗浄水が第２屈曲導水路の屈曲部で斜め後方に方向転換された際に、洗浄水の流速を低下させることができる。これにより、第２リム吐水口の拡散部を通過して第２リム吐水口から第２リム吐水が吐水された際には、この第２リム吐水が第２リム吐水口から斜め後方に放射状に拡散し易くなるため、第２リム吐水の幅広で膜状の水流を形成することができる。
これらによって、第１リム吐水に比べて幅広で膜状の第２リム吐水を高速で大流量の第１リム吐水の旋回流の旋回方向に対して横断させることができるため、第１リム吐水と第２リム吐水とを効果的に干渉させることができる。
また、第２リム吐水口から吐水された第２リム吐水がリム部における第２リム吐水口の前後近傍のリム壁面に引き寄せられる現象（いわゆる、コアンダ現象）についても効果的に抑制することができる。よって、第２リム吐水が、第１リム吐水の旋回流と共に同一の旋回方向に流れて、ボウル部の後方領域において、合流後の洗浄水のすべてが一切落下することなく、単純に旋回してしまうことを効果的に抑制することができる。
【００１４】
本発明において、好ましくは、上記拡散部は、上記第２屈曲導水路の屈曲部よりも下流側に形成される下流側導水路であり、この下流側導水路の幅は、上記第２屈曲導水路における上記屈曲部よりも上流側の導水路の幅よりも大きく設定されている。
このように構成された本発明においては、拡散部が、第２屈曲導水路の屈曲部よりも下流側に形成される下流側導水路であり、この下流側導水路の幅について、第２屈曲導水路における屈曲部よりも上流側の導水路の幅よりも大きく、幅広に設定することができる。
これにより、第１屈曲導水路から第２屈曲導水路へ後方に流れた洗浄水について、第２屈曲導水路の屈曲部で斜め後方に方向転換させた後、第２屈曲導水路の下流側導水路を通過させることにより、第２リム吐水口から斜め後方に吐水された第２リム吐水を効果的に放射状に拡散させて、幅広で膜状にすることができる。
したがって、高速で大流量の第１リム吐水の旋回流と斜め後方に吐水された第２リム吐水の幅広で膜状の水流とを合流させて適度に干渉させつつ、ボウル部の後方領域の左右方向及び前後方向の全体に亘ってより効果的に洗浄水を導くことができる。
【００１５】
本発明において、好ましくは、上記ボウル部の後方領域は、その汚物受け面における上記第２リム吐水口から斜め後方に向って形成される面が後方側程上昇傾斜している。
このように構成された本発明においては、ボウル部の後方領域の汚物受け面における第２リム吐水口から斜め後方に向って形成される面が後方側程上昇傾斜しているため、ボウル部の後方領域において第１リム吐水と第２リム吐水とが干渉した後の洗浄水の多くが、ボウル部の後方領域の汚物受け面の上方のリム部の壁面に沿ってボウル部の前方側に旋回してしまうことを抑制することができる。
したがって、ボウル部の後方領域において第１リム吐水と第２リム吐水とが干渉した後にボウル部の後方領域を通過する洗浄水の一部を落下させ易くすることができる。
よって、ボウル部の後方領域の合流後の洗浄水のすべてが一切落下することなく、単純に旋回してしまうことを抑制することができる。
【００１６】
本発明において、好ましくは、上記ボウル部の後方領域は、上記第２リム吐水口の底面から上記ボウル部の周方向後方側に形成されている上記汚物受け面の上縁が前方側から上記リム部の後端に向かって上昇傾斜している。
このように構成された本発明においては、ボウル部の後方領域における第２リム吐水口の底面からボウル部の周方向後方側に形成されている汚物受け面の上縁が、前方側からリム部の後端に向かって上昇傾斜しているため、ボウル部の後方領域において第１リム吐水と第２リム吐水とが干渉した後の洗浄水の多くが、ボウル部の後方領域の汚物受け面の上方のリム部の壁面に沿ってボウル部の前方側に旋回してしまうことを効果的に抑制することができる。
したがって、ボウル部の後方領域において第１リム吐水と第２リム吐水とが干渉した後にボウル部の後方領域を通過する洗浄水の一部を効果的に落下させ易くすることができる。
【発明の効果】
【００１７】
本発明の水洗大便器によれば、汚物が付着し易いボウル部の後方領域に対して高速で大流量の洗浄水を効率良く供給することができ、ボウル部の後方領域の洗浄力を向上させることができる。
【図面の簡単な説明】
【００１８】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図１のＩＶ−ＩＶ線に沿った断面図である。
【図５】図１に示す本発明の一実施形態による水洗大便器の便器本体における第２リム導水路及び第２リム吐水口を含むボウル部の部分を拡大した部分拡大平面図である。
【図６】図３に示す本発明の一実施形態による水洗大便器の便器本体における第２リム吐水口の部分を拡大した部分拡大図である。
【図７Ａ】本発明の一実施形態による水洗大便器のボウル部内における第１リム吐水の旋回流が第２リム吐水の水流に合流する前の状態の洗浄水の流れを概略的に説明した概略平面図である。
【図７Ｂ】本発明の一実施形態による水洗大便器のボウル部内における第１リム吐水の旋回流が第２リム吐水の水流に合流した後の状態の洗浄水の流れを概略的に説明した概略平面図である。
【発明を実施するための形態】
【００１９】
つぎに、図１〜図７Ｂを参照して、本発明の一実施形態による水洗大便器について説明する。
まず、図１は、本発明の一実施形態による水洗大便器の概略平面図である。
図１に示すように、本発明の一実施形態による水洗大便器１は、陶器製の便器本体２を備えている。この便器本体２は、上流側から下流側に向かって、導水路４と、ボウル形状のボウル部６と、排水トラップ管路８とを備えている。
なお、便器本体２については、陶器製以外の樹脂製等であってもよい。
【００２０】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
【００２１】
つぎに、図１に示すように、本発明の一実施形態による水洗大便器１は、便器洗浄に使用される洗浄水を貯水して便器本体２へ給水する洗浄水源である重力給水式の貯水タンク１０を備えており、便器本体２のボウル部６内の水の落差による流水作用で汚物を押し流す、いわゆる、「洗い落とし式の水洗大便器」である。
なお、本実施形態では、便器本体２へ洗浄水を供給する洗浄水源としては、上述した重力給水式の貯水タンク１０のようなタンク式の形態に限定されず、他の形態でも適用可能である。すなわち、便器本体２へ洗浄水を供給する洗浄水源として、水道水の給水圧を直接利用した水道直圧式の形態やフラッシュバルブ式の形態であってもよいし、或いは、ポンプの補圧を利用して洗浄水を供給する形態であってもよい。
【００２２】
つぎに、図２は、図１のＩＩ−ＩＩ線に沿った断面図である。また、図３は、図１のＩＩＩ−ＩＩＩ線に沿った断面図である。さらに、図４は、図１のＩＶ−ＩＶ線に沿った断面図である。
なお、図２〜図４に示す本実施形態の水洗大便器１においては、便器本体２の外形部分や貯水タンク１０については省略しており、詳細は後述する便器本体２のボウル部６、導水路４、及び、排水トラップ管路８等の便器本体２の主要部分のみを図示している。
【００２３】
ここで、図１に示す本発明の一実施形態による水洗大便器１においては、便器本体２のボウル部６の平面視において、ボウル部６を前後方向に二等分するように水平左右方向に延びる中心軸線を「Ｘ」で示し、ボウル部６を左右方向に二等分するように水平前後方向に延びる中心軸線を「Ｙ」で示している。
また、図１では、中心軸線Ｘ，Ｙの互いの交点を平面視のボウル部６の中心Ｏとし、この中心Ｏを通る鉛直方向に延びる中心軸線を「Ｚ」で示している。
これらにより、図２及び図３に示す本発明の一実施形態による水洗大便器１においては、便器本体２のボウル部６の側面視において、ボウル部６を前後方向に二等分するように鉛直方向に延びる中心軸線を「Ｚ」で示している。
さらに、図１〜図３に示すように、水洗大便器１の前後左右の方向については、「前」、「後」、「左」、「右」でそれぞれ示している。
【００２４】
つぎに、図１〜図４に示すように、便器本体２の上流側に位置する導水路４は、ボウル部６の後方側に形成され、貯水タンク１０から供給された洗浄水をボウル部６に導くようになっている。
また、図１〜図４に示すように、便器本体２の導水路４の下流側に位置するボウル部６は、下方から上方に向かって、壺部１２、汚物受け面１４、棚部１６、及び、リム部１８を備えている。
【００２５】
まず、図１〜図４に示すように、ボウル部６の壺部１２は、ボウル部６の下方に設けられており、その内部に溜水Ｗ０を貯留し、封水（封水面ＷＬ）を形成している。
また、図１〜図４に示すように、壺部１２は、底壁１２ａと、この底壁１２ａの左右側方に設けられた側壁（左側壁１２ｂ及び右側壁１２ｃ）と、底壁１２ａの後方に設けられた後壁１２ｄとを備えている。
さらに、図１に示すように、壺部１２の両側の側壁１２ｂ，１２ｃの前方側は、平面視において、後方から前方に向かう程、互いに近接する先細り形状となっており、壺部１２の前端が先端部Ｔとなっている。
【００２６】
ここで、図１〜図３に示すように、本実施形態の水洗大便器１においては、ボウル部６内の領域について、壺部１２の両側壁１２ｂ，１２ｃの上縁且つ前端位置Ｐ１（先端部Ｔ）よりも前方側の領域を「ボウル部６の前方領域Ｆ」と定義する。また、このボウル部６の前方領域Ｆにおいて、ボウル部６の水平前後方向の中心軸線Ｙに対して左側領域Ｌ、右側領域Ｒのそれぞれを「ボウル部６の左前方領域ＬＦ」、「ボウル部６の右前方領域ＲＦ」と定義する。
同様に、壺部１２の上縁且つ後端位置Ｐ２よりも後方側の領域を「ボウル部６の後方領域Ｂ」と定義する。また、このボウル部６の後方領域Ｂにおいて、ボウル部６の水平前後方向の中心軸線Ｙに対して左側領域Ｌ、右側領域Ｒのそれぞれを「ボウル部６の左後方領域ＬＢ」、「ボウル部６の右後方領域ＲＢ」と定義する。
つぎに、図１〜図３に示すように、本実施形態の水洗大便器１においては、ボウル部６内の前方領域Ｆと後方領域Ｂとの間を「ボウル部６の中間領域Ｍ」と定義する。また、このボウル部６の中間領域Ｍにおいて、壺部１２の左側壁１２ｂの上縁よりも左側の領域を「ボウル部６の左側方領域ＬＭ」と定義し、壺部１２の右側壁１２ｃの上縁よりも右側の領域を「ボウル部６の右側方領域ＲＭ」と定義する。
【００２７】
つぎに、図１〜図４に示すように、ボウル部６の汚物受け面１４は、壺部１２の上縁に接続される下縁から棚部１６の棚面１６ａ及びリム部１８のリム内壁面１８ａと共に、ボウル状のボウル面を形成しており、汚物を受ける面となっている。
なお、図１〜図４では、壺部１２と汚物受け面１４との境界線（壺部１２の上縁及び汚物受け面１４の下縁）を「Ｌ１」としている。
また、ボウル部６のリム部１８は、ボウル部６の上縁を形成しており、リム部１８の内周面（リム内壁面１８ａ）は、図１に示す平面視において、概ね卵形の形状に形成されている。
さらに、ボウル部６の棚部１６は、汚物受け面１４の外縁とリム部１８の下端との間に形成されている。導水路４内の洗浄水は、詳細は後述する２つのリム吐水口（第１リム吐水口２０及び第２リム吐水口２２）のそれぞれに導かれるようになっている。これにより第１リム吐水口２０及び第２リム吐水口２２のそれぞれから第１リム吐水及び第２リム吐水のそれぞれが吐水されるようになっている。
なお、本発明においては、必ずしも棚部１６を設ける必要はなく、第１リム吐水口２０及び第２リム吐水口２２のそれぞれから第１リム吐水及び第２リム吐水のそれぞれが汚物受け面１４の上縁部に吐水されても良い。
【００２８】
つぎに、図１〜図４に示すように、導水路４は、共通導水路２４と、第１リム導水路２６と、第２リム導水路２８とを備えている。
まず、共通導水路２４は、貯水タンク１０に接続される後方の入口４ａから前方のボウル部６の背面側近傍まで延びるようにボウル部６の後方側の便器本体２の内部に形成されている。
【００２９】
つぎに、図１、図２及び図４に示すように、第１リム吐水口２０は、ボウル部６内の左前方領域ＬＦのリム部１８に設けられており、壺部１２の前端位置Ｐ１よりも前方に配置されている。
また、図１、図２及び図４に示すように、第１リム導水路２６は、ボウル部６の背面側近傍で共通導水路２４からボウル部６の左側に分岐した後、ボウル部６の外周面を迂回しながら前方の第１リム吐水口２０まで延びるようにリム部１８の内部に形成されている。
これにより、共通導水路２４から第１リム導水路２６に供給された洗浄水は、第１リム吐水口２０から前方の棚部１６に第１リム吐水として吐水された後、ボウル部６内の左前方領域ＬＦから右前方領域ＲＦを経て右側方領域ＲＭへと旋回する旋回流を形成するようになっている。
【００３０】
一方、図１、図３及び図４に示すように、第２リム吐水口２２は、ボウル部６内の右側方領域ＲＭのリム部１８に設けられており、壺部１２の前端位置Ｐ１よりも後方且つ後端位置Ｐ２よりも前方に配置されている。
また、第２リム吐水口２２は、壺部１２の前後方向の中央（図１に示す壺部１２の前後後方向の中心Ｏ１）よりも後方に配置されている。
さらに、図１、図２及び図４に示すように、第２リム導水路２８は、詳細については後述するが、ボウル部６の背面側近傍で共通導水路２４からボウル部６の右側に分岐した後、ボウル部６の外周面を迂回しながら前方のボウル部６の右側方領域ＲＭのリム部１８まで延びるように形成されている。
その後、第２リム導水路２８は、ボウル部６の右側方領域ＲＭのリム部１８の内部において、後方側にＵターンして後方に延びた後、第２リム吐水口２２に向けて斜め後方に屈曲して第２リム吐水口２２まで延びるように形成されている。
【００３１】
つぎに、図１〜図４に示すように、便器本体２の下流側に位置する排水トラップ管路８は、ボウル部６の下方から後方に形成され、ボウル部６内の汚物を排出する排水路（排水トラップ部）である。
また、排水トラップ管路８の入口８ａは、ボウル部６の壺部１２の下方（底壁１２ａ）の排水口ｈに接続されている。そして、排水トラップ管路８は、その入口８ａから下方且つ後方に下降する下降路８ｂと、この下降路８ｂの下流端から上方且つ後方に上昇する上昇路８ｃと、を備えている。
【００３２】
つぎに、図１及び図３〜図６を参照して、本実施形態の水洗大便器１における第２リム導水路２８及び第２リム吐水口２２の詳細について説明する。
まず、図５は、図１に示す本発明の一実施形態による水洗大便器の便器本体における第２リム導水路及び第２リム吐水口を含むボウル部の部分を拡大した部分拡大平面図である。また、図６は、図３に示す本発明の一実施形態による水洗大便器の便器本体における第２リム吐水口の部分を拡大した部分拡大図である。
図５に示すように、第２リム導水路２８は、その入口２８ａから下流側に向かって、外側導水路３０と、第１屈曲導水路３２と、第２屈曲導水路３４と、を備えている。
【００３３】
図５に示すように、第２リム導水路２８の外側導水路３０は、その入口２８ａが後方側（上流側）の共通導水路２４に接続され、ボウル部６の外周面を迂回しながら前方のボウル部６の右側方領域ＲＭのリム部１８内に形成されている。
つぎに、図５に示すように、第２リム導水路２８の第１屈曲導水路３２は、外側導水路３０の前端（下流端）Ｅ１から前方に延びた後、屈曲部Ｂ１において、後方に向って屈曲するように形成されている。すなわち、第１屈曲導水路３２の屈曲部Ｂ１は、図５の平面視においてＵ字形形状にターンする部分となっている。これにより、上流側の外側導水路３０から前方に向かって第１屈曲導水路３２に流れ込んだ洗浄水は、第１屈曲導水路３２を通過することにより、後方に方向転換されるようになっている。
また、図５に示すように、第２リム導水路２８の第２屈曲導水路３４は、第１屈曲導水路３２の下流側後方に設けられている。この第２屈曲導水路３４は、第１屈曲導水路３２の下流端Ｅ２から後方の屈曲部Ｂ２まで延びる上流側導水路３４ａと、屈曲部Ｂ２により斜め後方のボウル部６の右後方領域ＲＢに向って屈曲した後、第２リム吐水口２２まで延びる下流側導水路３４ｂと、を備えている。
これにより、第１屈曲導水路３２の下流端Ｅ２から後方に向って第２屈曲導水路３４の上流側導水路３４ａに流れ込んだ洗浄水は、第２屈曲導水路３４の屈曲部Ｂ２を通過することにより、ボウル部６の右後方領域ＲＢに向って斜め後方に方向転換されるようになっている。そして、下流側導水路３４ｂを通過した洗浄水が、第２リム吐水口２２から第２リム吐水として吐水されるようになっている。
【００３４】
ここで、図１及び図５に示すように、第２リム導水路２８の入口２８ａから第２リム吐水口２２までの経路長さは、第１リム導水路２６の入口２６ａから第１リム吐水口２０までの経路長さよりも短い長さに設定されている。
また、第２リム導水路２８の入口２８ａから第２リム吐水口２２までの経路における平均流路断面積は、第１リム導水路２６の入口２６ａから第１リム吐水口２０までの経路における平均流路断面積よりも小さく設定されている。
これらにより、第２リム吐水口２２から吐水される第２リム吐水の吐水量Ｖ２［Ｌ］及び流量Ｑ２（瞬間流量）［Ｌ／ｍｉｎ］のそれぞれは、第１リム吐水口２０から吐水される第１リム吐水の吐水量Ｖ１［Ｌ］及び流量Ｑ１（瞬間流量）［Ｌ／ｍｉｎ］のそれぞれよりも小さく設定されるようになっている（Ｖ２＜Ｖ１、Ｑ２＜Ｑ１）。
ちなみに、本実施形態の水洗大便器１において、例えば、貯水タンク１０から共通導水路２４に供給される洗浄水Ｗの総吐水量Ｖ［Ｌ］を１００％とすると、共通導水路２４から第１リム導水路２６に供給される第１リム吐水Ｗ１の吐水量Ｖ１［Ｌ］は、総吐水量Ｖ［Ｌ］の７０％〜８０％に設定されることが好ましく、共通導水路２４から第２リム導水路２８に供給される第２リム吐水Ｗ２の吐水量Ｖ２［Ｌ］は、総吐水量Ｖ０［Ｌ］の２０％〜３０％に設定されることが好ましい。
【００３５】
図５に示すように、第２リム吐水口２２は、第２リム吐水Ｗ２の水流ｆ２を第１リム吐水Ｗ１の旋回流ｆ１よりも幅広で膜状に拡散させる拡散部Ｄを備えている。
この拡散部Ｄは、第２リム吐水Ｗ２の水流ｆ２の一部がボウル部６の右後方領域ＲＢを経由して壺部１２に落下する内側水流ｆ２ａの形成を促進する落流促進部としても機能するようになっている。
また、拡散部Ｄは、第１リム吐水口２０から吐水された第１リム吐水Ｗ１の旋回流ｆ１と第２リム吐水口２２から吐水された第２リム吐水Ｗ２の水流ｆ２とが合流して干渉した後のボウル部６の後方領域Ｂの洗浄水Ｗ３の旋回性を維持する旋回維持部としても機能するようになっている。これにより、ボウル部６の後方領域Ｂの合流後の洗浄水Ｗ３は、ボウル部６の左側方領域ＬＭへ旋回した後、第１リム吐水口２０付近のボウル部６の左前方領域ＬＦまで旋回可能となっている。
ここで、第２リム吐水口２２の拡散部Ｄの具体的な構造としては、図５に示す平面視において、第２屈曲導水路３４の下流側導水路３４ｂ及び第２リム吐水口２２の流路中心軸線Ｃ１の方向が、リム部１８における第２リム吐水口２２の後端近傍のリム内壁面１８ａの接平面Ｔ１に対して所定角度α１（０°＜α１＜９０°）を成すように設けられている。
なお、図５に示す平面視における流路中心軸線Ｃ１と接平面Ｔ１とが成す所定角度α１については、１０度〜２５度に設定されていることが好ましく、１５度〜２０度に設定されていることが最も好ましい。上述した構成により、第２リム吐水口２２からの第２リム吐水Ｗ２は、第１リム吐水口３０からの旋回流ｆ１の旋回方向に対して１０〜２５度、より好ましくは、１５から２０度の角度で斜めに横断して合流するようになっている。
【００３６】
すなわち、図５に示すように、上述した第２リム吐水口２２の拡散部Ｄにより、第２リム吐水口２２の開口端面Ａ１は、ボウル部６の右後方領域ＲＢに向けて斜め後方に差し向けられている。
これにより、第２リム吐水口２２から予めボウル部６の右後方領域ＲＢに吐水された第２リム吐水Ｗ２の水流ｆ２の一部が、壺部１２内に後方側から流下することができ、第２リム吐水Ｗ２の水流ｆ２の残部が、ボウル部６の右後方領域ＲＢから左後方領域ＬＢまで左右方向を横断することができるようになっている。
一方、図１及び図５に示すように、第１リム吐水口２０から前方に吐水された第１リム吐水Ｗ１は、ボウル部６内の左前方領域ＬＦから右前方領域ＲＦを経て右側方領域ＲＭに旋回して第２リム吐水口２２付近に到達すると、予めボウル部６の右後方領域ＲＢに向けて吐水されて第１リム吐水Ｗ１の旋回方向に対して横断している第２リム吐水Ｗ２の水流ｆ２に合流して干渉することができるようになっている。
【００３７】
つぎに、図５に示すように、第２リム吐水口２２の拡散部Ｄとしては、第２屈曲導水路３４の下流側導水路３４ｂの流路幅ｄ２が第２屈曲導水路３４の上流側導水路３４ａの流路幅ｄ１よりも大きく設定されている。
これにより、第１屈曲導水路３２から第２屈曲導水路３４へ後方に流れた洗浄水について、第２屈曲導水路３４の屈曲部Ｂ２で斜め後方に方向転換させた後、第２屈曲導水路の下流側導水路３４ｂを通過させることにより、第２リム吐水口２２から斜め後方に吐水された第２リム吐水Ｗ２を効果的に放射状に拡散させて、幅広で膜状にすることができるようになっている。
【００３８】
つぎに、図３〜図６に示すように、ボウル部６の右後方領域ＲＢの汚物受け面１４において、第２リム吐水口２２から斜め後方に向って形成される傾斜面Ｓ１が後方側程上昇傾斜している。
また、図３〜図６に示すように、ボウル部６の右後方領域ＲＢにおいて、第２リム吐水口２２の底面２２ａからボウル部６の周方向後方側に形成される汚物受け面１４の上縁１４ａ及び棚部１６の棚面１６ａが前方側からリム内壁面１８ａの後端（リム内壁面後端１８ｂ）に向かって上昇傾斜している。
【００３９】
さらに、図５及び図６に示すように、第２リム吐水口２２は、リム部１８のリム内壁面後端１８ｂから周方向の前方上流側の所定リム内壁面１８ｃに配置されている。この所定リム内壁面１８ｃの平面視の曲率半径ρ１は、リム内壁面後端１８ｂの平面視の曲率半径ρ２よりも大きく設定されている（ρ１＞ρ２）。
【００４０】
つぎに、図１〜図７Ｂを参照して、本発明の一実施形態による水洗大便器１の作用について説明する。
図７Ａは、本発明の一実施形態による水洗大便器のボウル部内における第１リム吐水の旋回流が第２リム吐水の水流に合流する前の状態の洗浄水の流れを概略的に説明した概略平面図である。
また、図７Ｂは、本発明の一実施形態による水洗大便器のボウル部内における第１リム吐水の旋回流が第２リム吐水の水流に合流した後の状態の洗浄水の流れを概略的に説明した概略平面図である。
まず、図１及び図７Ａに示すように、便器洗浄が開始され、貯水タンク１０内の洗浄水が便器本体２の導水路４の入口４ａから共通導水路２４に供給される。この共通導水路２４内の洗浄水Ｗは、第１洗浄水Ｗ１及び第２洗浄水Ｗ２のそれぞれとして第１リム導水路２６及び第２リム導水路２８のそれぞれに分岐する。
【００４１】
図１及び図７Ａに示すように、第１リム導水路２６の第１洗浄水Ｗ１は、下流側の第１リム吐水口２０から前方に第１リム吐水Ｗ１として吐水される。この第１リム吐水Ｗ１は、ボウル部６内の左前方領域ＬＦから右前方領域ＲＦを経て右側方領域ＲＭへと旋回する旋回流ｆ１を形成する。
一方、図１、図５及び図７Ａに示すように、第２リム導水路２８の第２洗浄水Ｗ２は、外側導水路３０から前方の第１屈曲導水路３２に流れ込み、この第１屈曲導水路３２の屈曲部Ｂ１を通過することにより後方に方向転換して流れる。
その後、第１屈曲導水路３２を通過した第２洗浄水Ｗ２は、その後方の第２屈曲導水路３４の上流側導水路３４ａに流れ込み、この第２屈曲導水路３４の屈曲部Ｂ２において斜め後方の下流側導水路３４ｂに方向転換された後、第２リム吐水口２２の拡散部Ｄである下流側導水路３４ｂを通過する。
そして、第２洗浄水Ｗ２は、第２リム吐水口２２から第２リム吐水Ｗ２として吐水される。この第２リム吐水Ｗ２は、ボウル部６内の右後方領域ＲＢに向けて拡散され、第１リム吐水Ｗ１の旋回流ｆ１よりも幅広で膜状の水流ｆ２を形成する。
ここで、第２リム導水路２８が第１リム導水路２６の経路長さよりも短い経路長さに設定されているため、第１リム吐水Ｗ１の旋回流ｆ１がボウル部６の右後方領域ＲＢにおける第２リム吐水Ｗ２の水流ｆ２と合流して干渉する領域に到達する前に、予め第２リム吐水口２２から第２リム吐水Ｗ２が早いタイミングで行われる。
【００４２】
また、図５及び図７Ａに示すように、第２リム吐水口２２からの吐水開始直後の第２リム吐水Ｗ２の水流ｆ２においては、平面視において上流側から下流側に向って概ね扇形形状に広がるような幅広で膜状の形状となっている。
さらに、このような吐水開始直後の第２リム吐水Ｗ２の水流ｆ２は、概ね内側水流ｆ２ａと外側水流ｆ２ｂとの間の範囲で幅広で膜状の水流を形成する。
図５及び図７Ａに示すように、第２リム吐水Ｗ２ａの内側水流ｆ２ａは、第２リム吐水口２２からボウル部６の後方領域Ｂに向けた第１方向の第２リム吐水Ｗ２ａの水流である。
一方、第２リム吐水Ｗ２の外側水流ｆ２ｂは、第１リム吐水Ｗ１の旋回流ｆ１の旋回方向と同一の第２方向の第２リム吐水Ｗ２ｂの水流である。
また、第２リム吐水Ｗ２ａの内側水流ｆ２ａは、その流量（第１流量Ｑ２ａ［Ｌ／ｍｉｎ］）が外側水流ｆ２ｂの流量（第２流量Ｑ２ｂ［Ｌ／ｍｉｎ］）よりも大きい状態（Ｑ２ａ＞Ｑ２ｂ）となる。
【００４３】
つぎに、図１、図５及び図７Ｂに示すように、第１リム吐水口２０から吐水された第１リム吐水Ｗ１の旋回流ｆ１が、ボウル部６内の左前方領域ＬＦから右前方領域ＲＦを経て右側方領域ＲＭに旋回して第２リム吐水口２２付近に到達すると、予めボウル部６の右後方領域ＲＢに向けて吐水されて第１リム吐水Ｗ１の旋回方向に対して横断している第２リム吐水Ｗ２の水流ｆ２に合流して干渉する。
これにより、図７Ｂに示すように、第１リム吐水Ｗ１と第２リム吐水Ｗ２との合流後の洗浄水Ｗ３は、壺部１２よりも後方側のボウル部６の右後方領域ＲＢに導かれ、この洗浄水Ｗ３の一部の水流ｆ３が壺部１２内に後方側から流下する。
また、図７Ｂに示すように、ボウル部６の右後方領域ＲＢに導かれた合流後の洗浄水Ｗ３の一部の水流ｆ４は、ボウル部６の左後方領域ＬＲから左側方領域ＬＭに旋回した後、壺部１２内に左側方から流れ込む。
一方、図７Ｂに示すように、ボウル部６の右後方領域ＲＢの合流後の洗浄水Ｗ３の残部の水流ｆ５は、ボウル部６の左後方領域ＬＢから左側方領域ＬＭを経て前方領域Ｆまで旋回する。
そして、図７Ｂに示すように、このボウル部６の前方領域Ｆの水流ｆ５は、ボウル部６の前方領域Ｆで第１リム吐水Ｗ１の旋回流ｆ１から早々と分岐して流下している水流と合流することにより水流ｆ６となり、この水流ｆ６が壺部１２内に前方側から流れ込む。
これらにより、汚物が付着し易いボウル部６の後方領域Ｂの汚物受け面やリム部１８が合流後の洗浄水Ｗ３により広範囲に洗浄されると共に、ボウル部６内で洗浄された汚物が壺部１２から排水トラップ管路８へと排出される。
【００４４】
上述した本発明の一実施形態による水洗大便器１によれば、第１リム吐水口２０がボウル部６の壺部１２の前端Ｔよりも前方に配置されている。
これにより、高速で大流量の第１リム吐水Ｗ１の旋回流ｆ１をボウル部６内の後方領域Ｂの壺部１２よりも後方側の汚物受け面１４やリム部１８に効率良く導くことができる。
また、第２リム吐水口２２により、第１リム吐水口２０から吐水された第１リム吐水Ｗ１の旋回流ｆ１の旋回方向に対して横断させるように第２リム吐水Ｗ２を行うことができるため、高速で大流量Ｑ１［Ｌ／ｍｉｎ］の第１リム吐水Ｗ１の旋回流ｆ１を第２リム吐水Ｗ２の水流ｆ２に合流させて効率良く干渉させることができる。
これにより、第１リム吐水口２０がボウル部６の壺部１２の前端Ｔよりも前方に配置される程、第１リム吐水Ｗ１の旋回流ｆ１がボウル部６の後方領域Ｂにより高速で大流量の状態で導かれたとしても、第２リム吐水Ｗ２と干渉した後の第１リム吐水Ｗ１の旋回流ｆ１がボウル部６の後方領域Ｂで落下し難くなることを抑制することができる。
したがって、汚物が付着し易いボウル部６の後方領域Ｂに対して、高速で大流量の第１リム吐水Ｗ１を第２リム吐水Ｗ２に干渉させた状態で効率良く供給することができるため、ボウル部６の壺部１２よりも後方領域Ｂの汚物受け面やリム部１８を洗浄する第１リム吐水Ｗ１や第２リム吐水Ｗ２の洗浄力を向上させることができる。
【００４５】
つぎに、本実施形態による水洗大便器１によれば、第２リム吐水口２２が壺部１２の後端よりも前方に配置されている。
これにより、第１リム吐水口２０から吐水された第１リム吐水Ｗ１の旋回流ｆ１が第２リム吐水口２２により吐水された第２リム吐水Ｗ２の水流ｆ２に合流して干渉するタイミングを適度に早めることができる。
したがって、高速で大流量の第１リム吐水Ｗ１の旋回流ｆ１の一部について、ボウル部６の後方領域Ｂの上流側にも落下させることができる。これにより、汚物が付着し易いボウル部６の後方領域Ｂとその上流側（前側）領域の広範囲に亘って洗浄可能となるため、洗浄力を向上させることができる。
【００４６】
また、本実施形態による水洗大便器１によれば、第２リム吐水口２２が壺部１２の前端Ｔよりも後方に配置されている。
これにより、第１リム吐水口２０から吐水された第１リム吐水Ｗ１の旋回流ｆ１が第２リム吐水口２２により吐水された第２リム吐水Ｗ２の水流ｆ２に合流して干渉するタイミングについて、過度に早まることを抑制することができる。
したがって、高速で大流量の第１リム吐水Ｗ１の旋回流ｆ１の大半が、第２リム吐水口２２付近に到達する前にボウル部６の右後方領域ＲＢよりも上流側（前側）で早々と落下してしまうことを抑制することができる。
【００４７】
さらに、上述した本実施形態の水洗大便器１によれば、第２リム吐水口２２が壺部１２の前後方向の中央（中心Ｏ１）よりも後方に配置されている。
これにより、ボウル部６の後方領域Ｂの直前において、高速で大流量の第１リム吐水Ｗ１の旋回流ｆ１について、第２リム吐水口２２から横断させるように吐水された第２リム吐水Ｗ２の水流ｆ２に合流させて干渉させることができ、この合流後の洗浄水の一部を適度に落下させることができる。
したがって、汚物が付着し易いボウル部６の後方領域Ｂにおける汚物受け面１４やリム部１８を広範囲に効率的に洗浄することができる。
【００４８】
また、本実施形態による水洗大便器１によれば、第２リム吐水口２２の開口端面が斜め後方に差し向けられている。
これにより、第２リム吐水口２２から吐水される第２リム吐水Ｗ２の水流ｆ２について、ボウル部６の後方領域Ｂの左右方向を横断するように斜め後方に差し向けることができる。
したがって、高速で大流量の第１リム吐水Ｗ１の旋回流ｆ１と斜め後方に吐水された第２リム吐水Ｗ２とをボウル部６の右後方領域ＲＢで合流させて干渉させつつ、ボウル部６の後方領域Ｂの左右方向の全体に亘って導くことができる。
【００４９】
さらに、本実施形態による水洗大便器１によれば、第２リム吐水口２２の拡散部Ｄにより、第２リム吐水口２２から斜め後方のボウル部６の右後方領域ＲＢに向けて第２リム吐水Ｗ２を放射状に拡散させることができる。
これにより、第２リム吐水Ｗ２を第１リム吐水Ｗ１の旋回流ｆ１よりも幅広で膜状にすることができるため、高速で大流量の第１リム吐水Ｗ１の旋回流ｆ１と斜め後方に吐水された第２リム吐水Ｗ２の幅広で膜状の水流ｆ２とを干渉させつつ、ボウル部６の後方領域Ｂの左右方向及び前後方向の全体に亘って広範囲に導くことができる。
【００５０】
また、本実施形態による水洗大便器１によれば、第２リム吐水口２２の拡散部Ｄの流路中心軸線（第２リム吐水口２２及び第２屈曲導水路３４の下流側導水路３４ｂの流路中心軸線Ｃ１）の方向が、リム部１８における第２リム吐水口２２の下流側近傍のリム内壁面１８ａの接平面Ｔ１に対して角度α１を成している。
これにより、第２リム吐水口２２から斜め後方のボウル部６内の右後方領域ＲＢに向けて第２リム吐水Ｗ２を吐水することができる。また、この吐水された第２リム吐水Ｗ２について、第１リム吐水Ｗ１の旋回流ｆ１の旋回方向に対して効果的に横断させるように放射状に拡散させて、幅広で膜状の水流ｆ２を形成することができる。
さらに、第２リム吐水Ｗ２がリム部１８における第２リム吐水口２２の前後近傍のリム内壁面１８ａに引き寄せられる現象（いわゆる、コアンダ現象）を抑制することができる。
よって、第２リム吐水Ｗ２が、第１リム吐水Ｗ１の旋回流ｆ１と共に同一の旋回方向に流れることを抑制し、ボウル部６の後方領域Ｂにおいて、合流後の洗浄水Ｗ３のすべてが一切落下することなく、単純に旋回してしまうことを抑制することができる。
これらにより、高速で大流量の第１リム吐水Ｗ１の旋回流ｆ１と斜め後方に吐水された第２リム吐水Ｗ２の幅広で膜状の水流ｆ２とを合流させて適度に干渉させつつ、ボウル部６の後方領域Ｂの左右方向及び前後方向の全体に亘って効果的に導くことができる。
【００５１】
さらに、本実施形態による水洗大便器１によれば、洗浄水源である貯水タンク１０から共通導水路２４に供給された洗浄水Ｗは、第１リム導水路２６に供給される第１洗浄水Ｗ１と、第２リム導水路２８に供給される第２洗浄水Ｗ２とに分岐する。
そして、第２リム導水路２８に供給された第２洗浄水Ｗ２は、外側導水路３０から前方の第１屈曲導水路３２に流れ込み、この第１屈曲導水路３２の屈曲部Ｂ１を通過することにより後方に方向転換して流れる。
その後、第１屈曲導水路３２を通過した第２洗浄水Ｗ２は、その後方の第２屈曲導水路３４の上流側導水路３４ａに流れ込み、この第２屈曲導水路３４の屈曲部Ｂ２において斜め後方の下流側導水路３４ｂに方向転換された後、第２リム吐水口２２の拡散部Ｄである下流側導水路３４ｂを通過する。
このとき、第１屈曲導水路３２の屈曲部Ｂ１から第２屈曲導水路３４の上流側導水路３４ａへ後方に流れた第２洗浄水Ｗ２は、第２屈曲導水路３４の屈曲部Ｂ２で斜め後方に方向転換された際に、第２洗浄水Ｗ２の流速を低下させることができる。
これにより、第２リム吐水口２２の拡散部Ｄである下流側導水路３４ｂを通過して第２リム吐水口２２から第２リム吐水Ｗ２が吐水された際には、この第２リム吐水Ｗ２が第２リム吐水口２２から斜め後方に放射状に拡散し易くなるため、第２リム吐水Ｗ２の幅広で膜状の水流ｆ２を形成することができる。
これらによって、第１リム吐水Ｗ１に比べて幅広で膜状の第２リム吐水Ｗ２を高速で大流量の第１リム吐水Ｗ１の旋回流ｆ１の旋回方向に対して横断させることができるため、第１リム吐水Ｗ１と第２リム吐水Ｗ２とを効果的に干渉させることができる。
また、第２リム吐水口２２から吐水された第２リム吐水Ｗ２がリム部１８における第２リム吐水口２２の前後近傍のリム壁面に引き寄せられる現象（いわゆる、コアンダ現象）についても効果的に抑制することができる。
よって、第２リム吐水Ｗ２が、第１リム吐水Ｗ１の旋回流ｆ１と共に同一の旋回方向に流れて、ボウル部６の後方領域Ｂにおいて、合流後の洗浄水Ｗ３のすべてが一切落下することなく、単純に旋回してしまうことを効果的に抑制することができる。
【００５２】
また、本実施形態による水洗大便器１によれば、拡散部Ｄが、第２屈曲導水路３４の屈曲部Ｂ２よりも下流側に形成される下流側導水路３４ｂであり、この下流側導水路３４ｂの幅ｄ２について、第２屈曲導水路３４における屈曲部Ｂ２よりも上流側の導水路３４ａの幅ｄ１よりも大きく、幅広に設定することができる。
これにより、第１屈曲導水路３２から第２屈曲導水路３４へ後方に流れた第２洗浄水Ｗ２について、第２屈曲導水路３４の屈曲部Ｂ２で斜め後方に方向転換させた後、第２屈曲導水路３４の下流側導水路３４ｂを通過させることにより、第２リム吐水口２２から斜め後方に吐水された第２リム吐水Ｗ２を効果的に放射状に拡散させて、幅広で膜状にすることができる。
したがって、ボウル部６の右後方領域ＲＢにおいて高速で大流量の第１リム吐水Ｗ１の旋回流ｆ１と斜め後方に吐水された第２リム吐水Ｗ２の幅広で膜状の水流ｆ２とを合流させて適度に干渉させつつ、ボウル部６の後方領域Ｂの左右方向及び前後方向の全体に亘ってより効果的に洗浄水を導くことができる。
【００５３】
さらに、本実施形態による水洗大便器１によれば、ボウル部６の後方領域Ｂの汚物受け面１４における第２リム吐水口２２から斜め後方に向って形成される傾斜面Ｓ１が後方側程上昇傾斜している。
これにより、ボウル部６の後方領域Ｂにおいて第１リム吐水Ｗ１と第２リム吐水Ｗ２とが干渉した後の洗浄水の多くが、ボウル部６の後方領域Ｂの汚物受け面１４の上方のリム部１８のリム内壁面１８ａに沿ってボウル部６の前方側に旋回してしまうことを抑制することができる。
したがって、ボウル部６の後方領域Ｂにおいて第１リム吐水Ｗ１と第２リム吐水Ｗ２とが干渉した後に、ボウル部６の後方領域Ｂの汚物受け面１４の傾斜面Ｓ１を通過する洗浄水の一部を落下させ易くすることができる。
よって、ボウル部６の後方領域Ｂの合流後の洗浄水Ｗ３のすべてが一切落下することなく、単純に旋回してしまうことを抑制することができる。
【００５４】
さらに、本実施形態による水洗大便器１によれば、ボウル部６の後方領域Ｂにおける第２リム吐水口２２の底面２２ａからボウル部６の周方向後方側に形成される汚物受け面１４の上縁１４ａ及び棚部１６の棚面１６ａが、前方側からリム部１８のリム内壁面後端１８ｂに向かって上昇傾斜している。
これにより、ボウル部６の後方領域Ｂにおいて第１リム吐水Ｗ１と第２リム吐水Ｗ２とが干渉した後の洗浄水の多くが、ボウル部６の後方領域Ｂの汚物受け面１４及び棚部１６の上方のリム部１８のリム内壁面１８ａに沿ってボウル部６の前方側に旋回してしまうことを効果的に抑制することができる。
したがって、ボウル部６の右後方領域ＲＢにおいて第１リム吐水Ｗ１と第２リム吐水Ｗ２とが干渉した後にボウル部６の後方領域Ｂを通過する洗浄水の一部を効果的に落下させ易くすることができる。
【符号の説明】
【００５５】
１        水洗大便器
２        便器本体
４        導水路
４ａ      導水路の入口
６        ボウル部
８        排水トラップ管路（排水トラップ部）
８ａ      排水トラップ管路の入口
８ｂ      排水トラップ管路の下降路
８ｃ      排水トラップ管路の上昇路
１０        貯水タンク（洗浄水源）
１２        壺部
１２ａ      壺部の底壁
１２ｂ      壺部の左側壁
１２ｃ      壺部の右側壁
１２ｄ      壺部の後壁
１４        汚物受け面
１４ａ      汚物受け面の上縁
１６        棚部
１６ａ      棚面
１８        リム部
１８ａ      リム内壁面（リム壁面）
１８ｂ      リム内壁面後端
１８ｃ      所定のリム内壁面（所定のリム壁面）
２０        第１リム吐水口（第１リム吐水部）
２２        第２リム吐水口（第２リム吐水部）
２２ａ      第２リム吐水口の底面
２４        共通導水路
２６        第１リム導水路
２８        第２リム導水路
２８ａ      第２リム導水路の入口
３０        第２リム導水路の外側導水路
３２        第２リム導水路の第１屈曲導水路
３４        第２リム導水路の第２屈曲導水路
３４ａ      第２屈曲導水路の上流側導水路
３４ｂ      第２屈曲導水路の下流側導水路
Ａ１      第２リム吐水口の開口端面
Ｂ        ボウル部の後方領域
Ｂ１      第１屈曲導水路の屈曲部
Ｂ２      第２屈曲導水路の屈曲部
Ｃ１      第２リム吐水口及び第２屈曲導水路の下流側導水路の流路中心軸線
Ｄ        拡散部（落流促進部、旋回維持部）
ｄ１      第２屈曲導水路の上流側導水路の流路幅
ｄ２      第２屈曲導水路の下流側導水路の流路幅
Ｅ１      外側導水路の前端（下流端）、第１屈曲導水路の上流端
Ｅ２      第１屈曲導水路の下流端
Ｆ        ボウル部の前方領域
ｆ１      第１リム吐水の旋回流
ｆ２      第２リム吐水の水流
ｆ２ａ    第２リム吐水の内側水流（第１方向の第２リム吐水の水流）
ｆ２ｂ    第２リム吐水の外側水流（第１方向の第２リム吐水の水流）
ｆ３      第１リム吐水と第２リム吐水の合流後の洗浄水の一部の流れ
ｆ４      第１リム吐水と第２リム吐水の合流後の洗浄水の一部の流れ
ｆ５      第１リム吐水と第２リム吐水の合流後の洗浄水の一部の流れ
ｆ６      第１リム吐水と第２リム吐水の合流後の洗浄水の一部の流れ
ｈ        排水口
Ｌ        ボウル部の左側領域
ＬＢ      ボウル部の左後方領域
ＬＦ      ボウル部の左前方領域
ＬＭ      ボウル部の左側方領域
Ｌ１      壺部と汚物受け面との境界線、壺部の上縁、汚物受け面の下縁
Ｍ        ボウル部の前方領域と後方領域との間の中間領域
Ｏ        ボウル部の中心
Ｏ１      壺部の前後方向の中心
Ｐ１      壺部の上縁且つ前端位置
Ｐ２      壺部の上縁且つ後端位置
Ｑ１      第１リム吐水の流量（瞬間流量）
Ｑ２      第２リム吐水の流量（瞬間流量）
Ｑ２ａ    第１方向の第２リム吐水の流量（瞬間流量）
Ｑ２ｂ    第２方向の第２リム吐水の流量（瞬間流量）
Ｒ        ボウル部の右側領域
ＲＢ      ボウル部の右後方領域
ＲＦ      ボウル部の右前方領域
ＲＭ      ボウル部の右側方領域
Ｓ１      傾斜面（ボウル部の右後方領域の汚物受け面における第２リム吐水口から斜め後方に向って形成される面）
Ｔ        壺部の先端部（壺部の前端）
Ｔ１      接平面
ｕ１      流速
ｕ２      流速
Ｖ１      吐水量
Ｖ２      吐水量
Ｗ        洗浄水
Ｗ０      溜水
Ｗ１      第１洗浄水、第１リム吐水
Ｗ２      第２洗浄水、第２リム吐水
Ｗ２ａ    第１方向の第２リム吐水
Ｗ２ｂ    第２方向の第２リム吐水
Ｗ３      第１リム吐水と第２リム吐水との合流後の洗浄水
ＷＬ      溜水の水位（溜水面）
Ｘ        ボウル部の水平左右方向の中心軸線
Ｙ        ボウル部の水平前後方向の中心軸線
Ｚ        ボウル部の中心を通る鉛直方向の中心軸線
α１      角度
ρ１      第２リム吐水口が配置されている所定のリム内壁面の平面視の曲率半径
ρ２      リム部のリム内壁面後端の平面視の曲率半径
【図１】
2020051048.tif 000003
【図２】
2020051048.tif 000004
【図３】
2020051048.tif 000005
【図４】
2020051048.tif 000006
【図５】
2020051048.tif 000007
【図６】
2020051048.tif 000008
【図７Ａ】
2020051048.tif 000009
【図７Ｂ】
2020051048.tif 000010